(57)【要約】      （修正有）【課題】リードスイッチの位置決めをより正確にし、生産効率のアップ、製造及び組立コストの削減が可能な液面レベルセンサの構造を提供する。【解決手段】一対の端子２０と本体３０とリードスイッチ４０とを含む液面レベルセンサの構造であって、各端子２０は、挟持側２１とリード側２２と延伸部２３と溶接側２４とを備え、本体３０が該一対の端子２０の延伸部２３外側を覆い、該一対の端子２０が相互間隔をあけて本体３０内に設けられ、本体３０の一側に切欠部３３を有し、且つ本体３０上に皿穴３４を有し、リードスイッチ４０は該一対の端子２０の挟持側２１上に挟持され、本体３０の切欠部３３に位置する。該一対の端子２０の挟持側２１は、本体３０の切欠部３３両側に各々設けられ、本体３０に突出し；該一対の端子２０の溶接側２４は、本体３０の皿穴３４内に露出し、該一対の端子２０のリード側２２が本体３０の一側から外方へ延伸し、これを介してリードスイッチ４０の位置決めをより正確にさせる。【選択図】図５
0003207669.tif 000002
【実用新案登録請求の範囲】
【請求項１】
各端子が挟持側と、リード側と、挟持側とリード側とを連接する延伸部と、延伸部の一側から延出する溶接側と、を備える一対の端子と、
前記一対の端子の延伸部外側を覆い、前記一対の端子が相互間隔をあけて本体内に設けられ、本体の一側に切欠部を有し、且つ本体上に皿穴を有する本体と、
前記一対の端子の前記挟持側上に挟持され、前記本体の前記切欠部に位置するリードスイッチと、を含み、
前記一対の端子の挟持側は、前記本体の前記切欠部両側に各々設けられ、前記本体に突出し、
前記一対の端子の前記溶接側は前記本体の皿穴内に露出し、
前記一対の端子の前記リード側が前記本体の一側から外方へ延伸することを特徴とする、
液面レベルセンサの構造。
【請求項２】
前記一対の端子の前記挟持側と前記リード側は、前記延伸部に沿って異なる方向に延伸することを特徴とする請求項１に記載の液面レベルセンサの構造。
【請求項３】
前記本体は、射出成形方式で一体成形され、また前記一対の端子の延伸部外側を覆うことを特徴とする請求項１に記載の液面レベルセンサの構造。
【請求項４】
前記各端子の挟持側には、挟持凹溝を更に備え、且つ該リードスイッチの両側に各々外方へ延伸するリードを有し、前記リードスイッチ両側の前記リードを前記各端子の挟持凹溝内に挟持させることを特徴とする請求項１に記載の液面レベルセンサの構造。
【請求項５】
前記各端子の挟持側は、前記本体と垂直になるように設けられることを特徴とする請求項１に記載の液面レベルセンサの構造。
【請求項６】
前記本体は、主体部と位置決め部とを更に備え、前記位置決め部が前記主体部の一側から外方へ延伸し、且つ前記主体部と前記位置決め部が段差を有することを特徴とする請求項１に記載の液面レベルセンサの構造。
【請求項７】
前記切欠部と前記皿穴は、前記位置決め部上に位置することを特徴とする請求項６に記載の液面レベルセンサの構造。
【請求項８】
前記端子のリード側は、該主体部から位置決め部の逆方向に向かって外方へ延伸することを特徴とする請求項６に記載の液面レベルセンサの構造。
【考案の詳細な説明】
【技術分野】
【０００１】
本考案は、液面レベルセンサの構造に関し、特に、リードスイッチの位置決めを更に正確にさせ、生産効率のアップ、製造及び組立コストの削減が可能な液面レベルセンサに関する。
【背景技術】
【０００２】
従来の液面レベルセンサは図１及び図２に示す通りであって、一般的に電子液面検出、例えば、水位、油面の測定に用いられ、主にリードスイッチを主要検出部品として液面レベルセンサを組み立てる。
【０００３】
従来の液面レベルセンサＡは、一対の端子Ｂと本体Ｃと回路基板ＤとリードスイッチＥとからなる。組み立て時、該一対の端子Ｂを回路基板Ｄ上に溶接してから回路基板Ｄ及び端子Ｂを本体Ｃ上に組み込み、最後にリードスイッチＥを回路基板Ｄ上に組み込む。
【０００４】
従来の液面レベルセンサＡの部品は構成が多く、且つ組み立て時容易に組立公差が生じることで、液面レベルセンサＡの確度に影響を及ぼす。このほか、リードスイッチＥと回路基板Ｄの組み込みは、リードスイッチＥ両側のリードＥ１を直接回路基板Ｄ上の対応溶接点Ｄ１に置いてから溶接方式でそのリードスイッチＥを回路基板Ｄ上に溶接するが、この種の組立方式は、更に特定の治具で位置決めする必要があり、さもなければ容易にリードスイッチＥが位置ずれを起こす。
【０００５】
次に、端子Ｂも回路基板Ｄ上に溶接してから本体Ｃに組み込むが、端子Ｂと本体Ｃの間にも容易に組立上の公差が生じる。このため、従来の液面レベルセンサＡは生産効率が低く、且つ部品、組立工程が多いことで、コストが増えていた。
【０００６】
以上に鑑み、本考案者は、上記欠陥を改善並びに解決するため、鋭意研究を重ねて学理の応用を合わせて、ついに、設計が合理的で且つ上記欠陥を効果的に改善する液面レベルセンサを考案した。
【考案の概要】
【考案が解決しようとする課題】
【０００７】
本考案の主要目的は、液面レベルセンサの構造を提供することであり、特に、リードスイッチの位置決めをより正確させ、また生産効率のアップ、製造及び組立コストの削減が可能な液面レベルセンサを指す。
【課題を解決するための手段】
【０００８】
上記目的を達成するため、本考案は、一対の端子と本体とリードスイッチとを含む液面レベルセンサの構造を提供する。各端子は、挟持側とリード側と延伸部と溶接側とを備え、本体が該一対の端子の延伸部外側を覆い、該一対の端子が相互間隔をあけて本体内に設けられ、本体の一側に切欠部を有し、且つ本体上に皿穴を有し、リードスイッチは該一対の端子の挟持側上に挟持され、本体の切欠部に位置する。
【０００９】
該一対の端子の挟持側は、本体の切欠部両側に各々設けられ、本体に突出し、該一対の端子の溶接側は、本体の皿穴内に露出し、該一対の端子のリード側が本体の一側から外方へ延伸する。
【考案の効果】
【００１０】
以上の構成より、リードスイッチの位置決めをより正確にさせ、また生産効率のアップ、製造及び組立コストの削減が可能である。
【図面の簡単な説明】
【００１１】
【図１】従来の液面レベルセンサの立体図である。
【図２】従来の液面レベルセンサの分解図である。
【図３】本考案の立体図である。
【図４】本考案の一部分の分解図である。
【図５】本考案の細部の分解図である。
【考案を実施するための形態】
【００１２】
本考案の特徴及び技術内容を更に開示するため、以下の本考案に関する詳細な説明と添付図面を参照する。ただし、添付図面は参考と説明の用に提供されるだけで、本考案がこれに限られるものではない。
【００１３】
図３乃至図５に示すように、本考案は、液面レベルセンサの構造を提供し、該液面レベルセンサ１０は一対の端子２０と本体３０とリードスイッチ４０とを含む。
【００１４】
該一対の端子２０は、第１端子２０’と第２端子２０”とを含み、第１端子２０’と第２端子２０”が互いに電気的に分離する。各端子２０が挟持側２１と、リード側２２と、挟持側２１とリード側２２とを連接する延伸部２３と、延伸部２３側辺から外方へ延伸する溶接側２４とを備え、第１端子２０’と第２端子２０”上の溶接側は、各々互いの方向に向かって延伸する。各端子２０の挟持側２１とリード側２２は、互いの逆方向に向かって延伸して成り、且つ各端子２０の挟持側２１上に挟持凹溝２５を有する。
【００１５】
本体３０は、主体部３１と位置決め部３２とを含み、位置決め部３２が主体部３０の一側から外方へ延伸し、主体部３１と位置決め部３２とが段差を有し、且つ位置決め部３２上に切欠部３３と皿穴３４とを有する。
【００１６】
本考案の実施時、該一対の端子２０は、金属キャリアでプレス成形してからプレス後の金属キャリアを金型内に入れ、更に射出成形方式で該一対の端子２０上に本体３０を形成することで、該一対の端子２０と本体３０を一体成形させ、端子２０と本体３０間の組立公差が起きることを避けることができる。
【００１７】
本体３０を該一対の端子２０上で射出成形する時、本体３０は該一対の端子２０の延伸部２３外側を覆い、該一対の端子２０の挟持側２１が、本体３０の位置決め部３２上の切欠部３３両側に位置し、且つ切欠部３３の延伸と垂直になるように設けられ、位置決め部３２に突出する。
このほかに、該一対の端子２０の溶接側２４は位置決め部３２上の皿穴３４内に露出し、電子部品（図示せず、例えば抵抗器）の設置に用いることができる。該一対の端子２０のリード側２２は、本体３０の主体部３１の位置決め部３２の逆方向に向かって外方へ延出する主体部３１の外側に位置する。
【００１８】
リードスイッチ４０は両側に各リード４１を有し、リードスイッチ４０は、リード４１を該一対の端子２０の挟持側２１上の挟持凹溝２５内に挟持することによって、リードスイッチ４０を該一対の端子２０の挟持側２１間に固定させ、また本体３０の切欠部３３に位置する。
【００１９】
以上のように、本考案の液面レベルセンサ１０の該一対の端子２０と該本体３０は、一体成形されるため、組立者がリードスイッチ４０を該一対の端子２０の挟持側２１間に挟持してから溶接を施すと、本考案の液面レベルセンサ１０の組立を完成できる。
【００２０】
本考案の液面レベルセンサ１０は、従来技術に比べると、部品が比較的少なく、組立の便利性を有し、コストが低く、且つ組立公差が小さい等といった特性を有する。
【００２１】
本考案の技術的内容は、好ましい実施例で上記通り開示されるが、そのような実施例により本考案の保護範囲が限定されるべきものではなく、当業者が本考案の精神から離れることなく為した種々の変更及び改変は、本考案の範囲に含まれるのが当然である。よって本考案の保護範囲は、本明細書に添付する実用新案登録請求の範囲で定義しているものを基準とする。
【符号の説明】
【００２２】
Ａ      液面レベルセンサ
Ｂ      端子
Ｃ      本体
Ｄ      回路基板
Ｄ１    溶接点
Ｅ      リードスイッチ
Ｅ１    リード
１０    液面レベルセンサ
２０    端子
２０’  第１端子
２０”  第２端子
２１    挟持側
２２    リード側
２３    延伸部
２４    溶接側
２５    挟持凹溝
３０    本体
３１    主体部
３２    位置決め部
３３    切欠部
３４    皿穴
４０    リードスイッチ
４１    リード
【図１】
0003207669.tif 000003
【図２】
0003207669.tif 000004
【図３】
0003207669.tif 000005
【図４】
0003207669.tif 000006
【図５】
0003207669.tif 000007